(57)【特許請求の範囲】
【請求項１】
オイルタンクに収容したオイルの量を検出するためのオイルレベルセンサの取付構造において、
前記オイルタンクに、その側面から内向きに窪むセンサ収容凹部を設けるとともに、該センサ収容凹部の開口部の周囲に下方を開放した断面略逆Ｕ形状の筒状体からなる固定部を外方に突出するように設けるとともに、該固定部の両側板部の内面に外向きに窪む凹部からなる係合受部を設け、
前記オイルレベルセンサを、前記開口部の周囲に当接する基板部の一面にオイルの量を検出する検出部を設けるとともに、前記基板部の他面に電気接続するために相手方コネクタを外嵌して接続するコネクタ部を設け、前記基板部の他面に前記コネクタ部と所定間隔をもって外側に位置するように係合腕部を設けるとともに、該係合腕部の先端に前記オイルタンクの係合受部に係合する係合部を外向きに突出するように設けた構成とし、
前記オイルタンクにオイルレベルセンサを装着した後、前記コネクタ部に相手方コネクタを取り付けることにより、該相手方コネクタによって前記係合腕部の内側への動きを規制する一方、前記相手方コネクタを取り外した状態で、開放した前記固定部の下方から前記係合腕部を内向きに撓ませることにより前記オイルタンクからオイルレベルセンサを取り外し可能としたことを特徴とするオイルレベルセンサの取付構造。
【発明の詳細な説明】
【０００１】
【発明の属する技術分野】
本発明は、車両に取り付けられるブレーキオイルタンクに取り付けられるオイルレベルセンサの取付構造に関するものである。
【０００２】
【従来の技術】
従来より、車両に搭載されるブレーキオイルなどのオイル残量は、オイルレベルセンサによってチェックしている。このオイルレベルセンサは、例えばリードスイッチからなる検出部を備え、オイルタンク内に磁石を配設したフロートを収容させることにより、該フロートが近づくと前記リードスイッチが通電することにより、残量を検出するものである。
【０００３】
前記オイルレベルセンサをオイルタンクに取り付けるには、図５に示す取付構造が適用されている。即ち、オイルタンク１には、下部に幅方向に貫通する挿入孔２が形成されている。また、オイルレベルセンサ３には、そのケースに係止爪４ａを備えた弾性を有する一対の係止片４が設けられている。そして、このオイルレベルセンサ３を前記挿入孔２に差し込むことにより、前記係止片４の爪４ａが挿入孔２の開口の縁に係止することにより、取付状態を保持する。
【０００４】
【発明が解決しようとする課題】
しかしながら、前記オイルレベルセンサ３の取付構造では、メンテナンス時などにオイルレベルセンサ３のケースに外力が加わると、前記爪４ａの係止が解除され、オイルレベルセンサ３がオイルタンク１から離脱するという問題がある。
【０００５】
そこで、本発明では、オイルタンクに装着したオイルレベルセンサの離脱を確実に防止できる取付構造を提供することを課題とする。
【０００６】
【課題を解決するための手段】
前記課題を解決するため、本発明のオイルレベルセンサの取付構造は、オイルタンクに収容したオイルの量を検出するためのオイルレベルセンサの取付構造において、前記オイルタンクに、その側面から内向きに窪むセンサ収容凹部を設けるとともに、該センサ収容凹部の開口部の周囲に下方を開放した断面略逆Ｕ形状の筒状体からなる固定部を外方に突出するように設けるとともに、該固定部の両側板部の内面に外向きに窪む凹部からなる係合受部を設け、前記オイルレベルセンサを、前記開口部の周囲に当接する基板部の一面にオイルの量を検出する検出部を設けるとともに、前記基板部の他面に電気接続するために相手方コネクタを外嵌して接続するコネクタ部を設け、前記基板部の他面に前記コネクタ部と所定間隔をもって外側に位置するように係合腕部を設けるとともに、該係合腕部の先端に前記オイルタンクの係合受部に係合する係合部を外向きに突出するように設けた構成とし、前記オイルタンクにオイルレベルセンサを装着した後、前記コネクタ部に相手方コネクタを取り付けることにより、該相手方コネクタによって前記係合腕部の内側への動きを規制する一方、前記相手方コネクタを取り外した状態で、開放した前記固定部の下方から前記係合腕部を内向きに撓ませることにより前記オイルタンクからオイルレベルセンサを取り外し可能に構成している。
【０００７】
前記オイルレベルセンサの取付構造によれば、前記組付状態でオイルレベルセンサの係合腕部が相手方コネクタに規制されるため、この係合腕部の係合部と、オイルタンクの係合受部との係合状態を解除できない。その結果、メンテナンス時などにオイルレベルセンサのケースに外力が加わってもオイルレベルセンサがオイルタンクから離脱することを防止できる。
【０００８】
また、固定部が断面略逆Ｕ形状の筒状体からなるため、固定部の強度が増し、より確実にオイルレベルセンサの離脱を防止できる。しかも、オイルタンクにオイルを注入する時などに漏れたオイルが、オイルレベルセンサのコネクタ部内に侵入することを防止でき、コネクタ部の端子がオイルにより腐食して接続不良などの不具合が生じることを防止できる。
【０００９】
【発明の実施の形態】
以下、本発明の実施の形態を図面に従って説明する。
図１は、本発明の実施形態に係るオイルレベルセンサ１７の取付構造を適用したオイルタンク１０を示す。
【００１０】
このオイルタンク１０は、図１および図２（Ａ），（Ｂ），（Ｃ）に示すように、車両に搭載するブレーキオイルを収容するもので、その上面のオイル補充用の開口にキャップ１１が着脱可能に取り付けられている。このオイルタンク１０には、そのロアレベルを越えた位置に内向きに窪む断面円形状のセンサ収容凹部１２が設けられている。このセンサ収容凹部１２には、内面に長手方向に延びるガイド溝１３ａ，１３ｂ，１３ｃが設けられている。
【００１１】
また、前記センサ収容凹部１２の開口部の周囲には、該開口部を所定間隔をもって覆うように、オイルレベルセンサ１７の固定部１４が外向きに突設されている。この固定部１４は、下向きに開放した断面略逆Ｕ形状の筒状体からなる。この固定部１４の正面側には、内向きに傾斜する斜面部１５が設けられている。また、固定部１４の両側板部１４ａ，１４ｂには、外向きに窪む凹部からなる係合受部１６が設けられている。
【００１２】
前記オイルレベルセンサ１７は、図１および図３（Ａ），（Ｂ），（Ｃ）に示すように、前記オイルタンク１０に収容したオイルの量を検出するもので、その検出部１８を樹脂製の外装体に装着したものである。前記検出部１８は、従来と同様に、オイルタンク１０内に磁石を配設したフロートが近づくことにより通電するリードスイッチからなる。
【００１３】
前記オイルレベルセンサ１７の外装体は、前記固定部１４内に嵌り込み、オイルタンク１０の壁面に当接する基板部１９を備えている。この基板部１９の一面には、略断面凹字形状に突出し、その内部に前記検出部１８を配設する配設部２０が突設されている。この配設部２０には、一対の接続端子２１が配設されている。また、この配設部２０の両側および下面には、前記オイルタンク１０のガイド溝１３に挿入されるガイド突部２２ａ，２２ｂ，２２ｃが設けられている。さらに、この配設部２０の根本部分には、Ｏリング２３が装着されている。そして、前記基板部１９の他面には、図示しない車両の制御部と電気接続するためのコネクタ部２４が設けられている。このコネクタ部２４は、前向きに開口した四角筒状をなし、その内部には、前記接続端子２１に接続した一対の雄端子２５が配設されている。また、コネクタ部２４の両側および上部には、相手方コネクタ３０を外嵌するための突部２６ａ，２６ｂ，２６ｃ，２６ｄが設けられている。さらに、上面の突部２６ｃ，２６ｄの間には係止突部２７が設けられている。さらにまた、基板部１９の他面の両側縁には、前記コネクタ部２４と所定間隔をもって位置する一対の係合腕部２８が設けられている。これら係合腕部２８は弾性を有し、その先端には、外向きに突出して前記係合受部１６に係合する係合部２９が設けられている。
【００１４】
前記オイルレベルセンサ１７のコネクタ部２４に接続する相手方コネクタ３０は、前記コネクタ部２４の外側を囲繞するように外嵌させて接続するもので、その両側間の幅は一対の係合腕部２８の間隔より狭いものである。この相手方コネクタ３０には、前記雄端子２５に係合する雌端子が配設されている。また、前記突部２６ａ，２６ｂ，２６ｃ，２６ｄを挿入する溝と、係止突部２７に係止する係止部を備えている。
【００１５】
前記オイルタンク１０とオイルレベルセンサ１７とを組み付けるには、まず、図４（Ａ）に示すように、オイルレベルセンサ１７のコネクタ部２４に相手方コネクタ３０を装着していない状態で、該オイルレベルセンサ１７の配設部２０をセンサ収容凹部１２内に挿入する。この際、固定部１４の両側にオイルレベルセンサ１７の係合腕部２８が当接すると、無理に圧入することにより、係合腕部２８を内向きに撓ませて挿入できる。そして、係合腕部２８の先端の係合部２９が固定部１４の前端縁を越えると、係合腕部２８が弾性的に原状に復帰して係合部２９が固定部１４の係合受部１６に係合する。
【００１６】
ついで、図４（Ｂ），（Ｃ）に示すように、制御部に接続された相手方コネクタ３０をオイルレベルセンサ１７のコネクタ部２４に外嵌装着し、オイルレベルセンサ１７と制御部とを接続し、組み付けが完了する。
【００１７】
前記組付状態では、オイルレベルセンサ１７の係合腕部２８は、相手方コネクタ３０の外壁面に規制され、内向きに撓むことができない。そのため、この係合腕部２８の係合部２９と、オイルタンク１０の係合受部１６との係合状態は解除できない。その結果、メンテナンス時などにオイルレベルセンサ１７のケースに外力が加わってもオイルレベルセンサ１７がオイルタンク１０から離脱することはない。また、オイルタンク１０の固定部１４は、略Ｕ字形状に形成されているため、該固定部１４の強度は強く、該固定部１４自体が外力により変形することもない。そのため、より確実にオイルレベルセンサ１７の離脱を防止できる。しかも、固定部１４によりオイルレベルセンサ１７の装着部分が覆われるため、オイルタンク１０にオイルを注入する時などに漏れたオイルが、コネクタ２４，３０内に侵入することを防止でき、これらコネクタ２４，３０の端子がオイルにより腐食して接続不良などの不具合が生じることを防止できる。
【００１８】
一方、前記オイルタンク１０からオイルレベルセンサ１７を取り外す場合には、オイルレベルセンサ１７のコネクタ部２４から相手方コネクタ３０を取り外した状態で、開放した固定部１４の下方から係合腕部２８を内向きに撓ませることにより、取外可能である。
【００１９】
なお、本発明のオイルレベルセンサ１７の取付構造は、前記実施形態の構成に限定されるものではない。
【００２０】
【発明の効果】
以上の説明から明らかなように、本発明のオイルレベルセンサの取付構造は、組付状態でオイルレベルセンサの係合腕部が相手方コネクタに規制されるため、この係合腕部の係合部と、オイルタンクの係合受部との係合状態を解除できない。その結果、メンテナンス時などにオイルレベルセンサのケースに外力が加わってもオイルレベルセンサがオイルタンクから離脱することを防止できる。
【００２１】
また、オイルタンクの固定部を、センサ収容凹部の開口部、即ち、コネクタ部を覆う断面略逆Ｕ形状の筒状体からなるように構成しているため、固定部の強度が増し、より確実にオイルレベルセンサの離脱を防止できる。しかも、オイルタンクにオイルを注入する時などに漏れたオイルが、オイルレベルセンサのコネクタ部内に侵入することを防止でき、コネクタ部の端子がオイルにより腐食して接続不良などの不具合が生じることを防止できる。
【図面の簡単な説明】
【図１】  本発明の実施形態に係るオイルレベルセンサの取付構造を示す分解斜視図である。
【図２】  （Ａ）はオイルタンクのセンサ収容凹部の正面図、（Ｂ）は（Ａ）のＡ−Ａ線断面図、（Ｃ）は（Ａ）のＢ−Ｂ線断面図である。
【図３】  オイルレベルセンサを示し、（Ａ）は正面図、（Ｂ）は平面図、（Ｃ）は右側面図である。
【図４】  （Ａ），（Ｂ），（Ｃ）はオイルレベルセンサのオイルタンクへの取付工程を示す断面図である。
【図５】  従来のオイルレベルセンサの取付構造を示す分解斜視図である。
【符号の説明】
１０…オイルタンク、１２…センサ収容凹部、１４…固定部、１６…係合受部、１７…オイルレベルセンサ、１８…検出部、１９…基板部、２４…コネクタ部、２８…係合腕部、２９…係合部、３０…相手方コネクタ。
【図１】
0004017841.tif 000002
【図２】
0004017841.tif 000003
【図３】
0004017841.tif 000004
【図４】
0004017841.tif 000005
【図５】
0004017841.tif 000006